(57)【要約】【課題】操作部材としてベルト部材を用いることにより、スライド操作が可能な操作装置を安価に提供する。【解決手段】操作装置１００は、ベース部材３０と、ベース部材３０に設けられた操作パネル１１と、操作パネル１１上に開口して設けられた操作開口部１１２と、無端形状に構成されており、操作開口部１１２に一部が露出した状態でベース部材３０に回転移動可能に配置されたベルト部材４０と、ベース部材３０に設けられ、ベルト部材４０の移動を検知する検知部５０と、を備えることを特徴とする。【選択図】図２
2015101135.tif 000002
【特許請求の範囲】
【請求項１】
ベース部材と、
前記ベース部材に設けられた操作パネルと、
前記操作パネル上に開口して設けられた操作開口部と、
無端形状に構成されており、前記操作開口部に一部が露出した状態で前記ベース部材に回転移動可能に配置されたベルト部材と、
前記ベース部材に設けられ、前記ベルト部材の移動を検知する検知部と、
を備えることを特徴とする操作装置。
【請求項２】
請求項１に記載の操作装置において、
前記ベルト部材には、前記検知部により移動を検知されるための被検出部が当該ベルト部材の移動方向に沿って複数並べて配置されていること、
を特徴とする操作装置。
【請求項３】
請求項２に記載の操作装置において、
前記被検出部が前記検知部によって所定回数検知されたことに応じて、被制御部を制御する制御部を有すること、
を特徴とする操作装置。
【請求項４】
請求項２又は請求項３に記載の操作装置において、
前記被検出部は、前記ベルト部材に設けられた凸部であり、前記検知部は、前記凸部によって揺動する作動部によってオンオフするスイッチであること、
を特徴とする操作装置。
【請求項５】
請求項１から請求項４までのいずれか１項に記載の操作装置において、
前記操作パネル上に開口して設けられた第２操作開口部と、
前記第２操作開口部に対応する位置に配置されており、プッシュ操作によってスイッチングするプッシュスイッチと、
を備え、
前記ベルト部材は、前記プッシュスイッチを覆うようにして前記第２操作開口部に一部が露出していること、
を特徴とする操作装置。
【発明の詳細な説明】
【技術分野】
【０００１】
本発明は、車両のエアコンやオーディオ等の各種機器の操作に用いられる操作装置に関するものである。
【背景技術】
【０００２】
従来、空調機器の操作装置には、例えば、特許文献１に開示されているように、ダイヤル回転タイプや、レバースライドタイプなどが用いられていた。
【０００３】
ところで、近年では、スマートホンの普及等から、スマートホンにおいてスクロールするようなスライド操作を好む利用者も多くなっている。
そこで、空調操作においても、例えば、特許文献２のように、タッチパネルやタッチスイッチ等が用いられる場合もある。
【先行技術文献】
【特許文献】
【０００４】
【特許文献１】特開２００３−５４２４５号公報
【特許文献２】特開２００４−３６２４２８号公報
【発明の概要】
【発明が解決しようとする課題】
【０００５】
しかしながら、近年の操作装置に用いられるタッチパネルやタッチスイッチは、静電容量方式や抵抗感圧方式等、複数の方式が存在しているものの、いずれも高価であるという問題があった。
【０００６】
本発明は、操作部材としてベルト部材を用いることにより、スライド操作が可能な操作装置を安価に提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
【０００８】
請求項１の発明は、ベース部材（３０）と、前記ベース部材に設けられた操作パネル（１１）と、前記操作パネル上に開口して設けられた操作開口部（１１２）と、無端形状に構成されており、前記操作開口部に一部が露出した状態で前記ベース部材に回転移動可能に配置されたベルト部材（４０）と、前記ベース部材に設けられ、前記ベルト部材の移動を検知する検知部（５０）と、を備えることを特徴とする操作装置（１００）である。
【０００９】
請求項２の発明は、請求項１に記載の操作装置において、前記ベルト部材（４０）には、前記検知部（５０）により移動を検知されるための被検出部（４１）が当該ベルト部材の移動方向に沿って複数並べて配置されていること、を特徴とする操作装置（１００）である。
【００１０】
請求項３の発明は、請求項２に記載の操作装置において、前記被検出部（４１）が前記検知部（５０）によって所定回数検知されたことに応じて、被制御部を制御する制御部（７０）を有すること、を特徴とする操作装置（１００）である。
【００１１】
請求項４の発明は、請求項２又は請求項３に記載の操作装置において、前記被検出部（４１）は、前記ベルト部材（４０）に設けられた凸部であり、前記検知部（５０）は、前記凸部によって揺動する作動部によってオンオフするスイッチであること、を特徴とする操作装置（１００）である。
【００１２】
請求項５の発明は、請求項１から請求項４までのいずれか１項に記載の操作装置において、前記操作パネル（１１）上に開口して設けられた第２操作開口部（１１３）と、前記第２操作開口部に対応する位置に配置されており、プッシュ操作によってスイッチングするプッシュスイッチ（６０）と、を備え、前記ベルト部材（４０）は、前記プッシュスイッチを覆うようにして前記第２操作開口部に一部が露出していること、を特徴とする操作装置（１００）である。
【発明の効果】
【００１３】
本発明によれば、以下の効果を奏することができる。
【００１４】
（１）請求項１の発明によれば、ベルト部材は、無端形状に構成されており、操作開口部に一部が露出した状態でベース部材に回転移動可能に配置されている。また、検知部は、ベース部材に設けられ、ベルト部材の移動を検知する。これにより、利用者は、操作開口部において、ベルト部材に指を当てスライド操作する。検知部は、利用者のスライド操作によるベルト部材の移動を検知する。よって、操作部材としてベルト部材を用いることにより、スライド操作が可能な操作装置を安価に提供できる。
【００１５】
（２）請求項２の発明によれば、ベルト部材には、検知部により移動を検知されるための被検出部が当該ベルト部材の移動方向に沿って複数並べて配置されている。これにより、検知部は、複数の被検出部を検知することで、利用者のスライド操作によるベルト部材の移動量を検知できる。よって、操作部材としてベルト部材を用いることにより、スライド操作の移動量を検知可能な操作装置を安価に提供できる。
【００１６】
（３）請求項３の発明によれば、制御部は、被検出部が検知部によって所定回数検知されたことに応じて、被制御部を制御する。これにより、制御部は、被検出部が検知された回数に応じて、被制御部を段階的に制御できる。例えば、被制御部が空調機器であれば、被検出部が検知された回数に応じて、車内温度の設定を段階的に制御できる。よって、操作部材としてベルト部材を用いることにより、スライド操作の移動量に応じて、被制御部を段階的に制御できる操作装置を安価に提供できる。
【００１７】
（４）請求項４の発明によれば、検知部は、ベルト部材の凸部によって揺動する作動部によってオンオフするスイッチである。これにより、検知部を、例えば、赤外線等を用いるセンサで構成した場合に比べ、安価に提供できる。よって、操作部材としてベルト部材を用いることにより、スライド操作の移動量に応じて、被制御部を段階的に制御できる操作装置をより安価に提供できる。
【００１８】
（５）請求項５の発明によれば、プッシュスイッチは、第２操作開口部に対応する位置に配置されており、プッシュ操作によってスイッチングする。ベルト部材は、プッシュスイッチを覆うようにして第２操作開口部に一部が露出している。これにより、利用者は、第２操作開口部において、ベルト部材に指を当て押圧するプッシュ操作をする。プッシュスイッチは、利用者のプッシュ操作によってスイッチングする。即ち、例えば、スマートホンにおけるタッチ操作を、ベルト部材で覆ったプッシュスイッチのプッシュ操作により、擬似的に実現できる。よって、操作部材としてベルト部材を用いることにより、スライド操作及びプッシュ操作が可能な操作装置を安価に提供できる。
【図面の簡単な説明】
【００１９】
【図１】本発明の実施形態に係る操作装置１００を示す概略斜視図である。
【図２】図１に示す前記実施形態に係る操作装置１００のＡＡ’断面図である。
【図３】前記実施形態に係る本体１０からベルト部材４０を取り外した状態を示す斜視図である。
【図４】図３に示す前記実施形態に係るベルト部材４０のＣＣ’断面図である。
【図５】図１に示す前記実施形態に係る操作装置１００のＢＢ’断面図である。
【図６】前記実施形態に係る制御部７０の機能ブロック図である。
【発明を実施するための形態】
【００２０】
以下、本発明を実施するための最良の形態について図面等を参照して説明する。
【００２１】
（実施形態）
図１は、本発明の実施形態に係る操作装置１００を示す概略斜視図である。
図２は、図１に示す前記実施形態に係る操作装置１００のＡＡ’断面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２２】
図２に示すように、本実施形態の操作装置１００は、車両の空調機器の操作に用いられるものであり、本体１０と、本体１０の内部に配置された、表示部材２０（図１参照）、ベース部材３０、ベルト部材４０、検知部５０、プッシュスイッチ６０及び制御部７０とを備えている。
【００２３】
図１に示すように、本体１０は、その内部に空間を有する箱状態で形成され、利用者に面する前面側（図１中前面側）に配置される操作パネル１１と、利用者に面する側と反対側（図１中背面側）に配置されるケース１２とを備えている。
【００２４】
操作パネル１１上には、表示部材２０に面する位置に開口する表示開口部１１１と、ベルト部材４０に面する位置に開口する操作開口部１１２及び第２操作開口部１１３とが形成されている。
操作パネル１１は、表示開口部１１１、操作開口部１１２及び第２操作開口部１１３の周縁が面取り加工されている。これにより、表示部材２０の視認性、ベルト部材４０の操作性が向上する。
【００２５】
表示部材２０は、液晶ディスプレイで構成され、操作装置１００により操作される空調機器の状態を示す情報が表示される。例えば、図１に示す例では、表示部材２０には、エアコンのオンオフ、送風の強さ、外気導入又は内気循環、車内温度等を示す情報が表示されている。
【００２６】
図２に示すように、ベース部材３０は、本体１０の内部に配置され、ベルト部材４０が回転移動可能に配置されている。
図３は、前記実施形態に係る本体１０からベルト部材４０を取り外した状態を示す斜視図である。
ベース部材３０は、１面が開放された箱状体に形成され、底部３１と、周壁３２とを備えている。
底部３１は、板状体に形成された底板部３１１と、底板部３１１の下面に固定され本体１０のケース１２（図１参照）と係合する脚部３１２とを備えている。
【００２７】
周壁３２は、底板部３１１の外縁から、ベルト部材４０の厚さと略同じ寸法だけ内側に入った位置において、底板部３１１の外縁に沿って、底板部３１１の上面から周方向に直交する方向（図３中上下方向）に立設している。
周壁３２には、溝３２１と、凹み３２２と、スイッチ挿通部３２３と、スリット３２４と、が形成されている。
【００２８】
溝３２１は、外周面３２ａにおいて、周壁３２の周方向に直交する方向（図３中上下方向）の側縁近傍で周方向に延びる溝であり、後述するベルト部材４０の被検出部４１（図４参照）が挿入される。
凹み３２２は、外周面３２ａにおいて、周壁３２の周方向に直交する方向における略中央に形成された凹みである。
図２に示すように、凹み３２２は、ベース部材３０が本体１０の内部に配置されたときに第２操作開口部１１３に面する位置に形成されている。
【００２９】
スイッチ挿通部３２３は、筒状体に形成され、その一端が凹み３２２の略中央において、周壁３２を貫通する孔を形成し、その後端が内側に延び、後述するプッシュスイッチ６０が挿通される。
図３に示すように、スリット３２４は、周壁３２を周方向に直交する方向（図３中上下方向）に延びる孔であり、後述する検知部５０（図２参照）が配置される。
【００３０】
ベルト部材４０は、無端形状に構成されている。また、図２に示すように、ベルト部材４０は、操作開口部１１２に一部が露出した状態でベース部材３０の周壁３２の周方向に回転移動可能に配置されている。また、ベルト部材４０は、後述するプッシュスイッチ６０の先端を覆うようにして第２操作開口部１１３に一部が露出している。
ベルト部材４０は、ゴム素材で形成されている。
【００３１】
図４は、図３に示す前記実施形態に係るベルト部材４０のＣＣ’断面図である。
ベルト部材４０には、その周方向に直交する方向（図３中上下方向）の側縁近傍において、検知部５０により移動を検知されるための被検出部４１が当該ベルト部材４０の移動方向に沿って複数並べて所定間隔で配置されている。
被検出部４１は、ベルト部材４０に設けられた内側に突出する凸部である。
被検出部４１は、ベルト部材４０がベース部材３０の周壁３２に配置されると、周壁３２の溝３２１（図３参照）に挿入される。
【００３２】
図２に戻って、検知部５０は、ベース部材３０に固定された後述する制御部７０に設けられ、ベルト部材４０の移動を検知する。
検知部５０は、周壁３２のスリット３２４に面する位置において、溝３２１と同じ高さに配置され、ベルト部材４０の被検出部４１である凸部によって揺動する作動部によってオンオフするディテクタースイッチである。
【００３３】
図５は、図１に示す前記実施形態に係る操作装置１００のＢＢ’断面図である。
プッシュスイッチ６０は、スイッチ部６１と、プッシュバー６２とを備えている。
スイッチ部６１は、後述する制御部７０に設けられ、周壁３２のスイッチ挿通部３２３に面する位置に配置され、プッシュバー６２を介してプッシュ操作を受け付ける。
プッシュバー６２は、棒状体に形成され、周壁３２のスイッチ挿通部３２３に挿通され、一端が第２操作開口部１１３に対応する位置に配置されベルト部材４０に覆われ、他端がスイッチ部６１に当接する。
【００３４】
図２に戻って、制御部７０は、ベース部材３０に固定された基板を含み、この基板に検知部５０及びプッシュスイッチ６０のスイッチ部６１が接続されている。また、図示は省略するが、制御部７０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、被制御部と通信するデバイス等を備えている。
制御部７０は、被検出部４１が検知部５０によって所定回数検知されたことに応じて、被制御部を制御する。また、制御部７０は、プッシュスイッチ６０がプッシュ操作されたことに応じて、被制御部を制御する。
【００３５】
図６は、前記実施形態に係る制御部７０の機能ブロック図である。
制御部７０は、検知回数カウント部７１と、プッシュ操作検知部７２と、被制御部指示部７３とを備え、例えば、被制御部としての空調機器５００と接続されている。
【００３６】
検知回数カウント部７１は、検知部５０からオンオフを示すオンオフ信号を受信し、受信したオンオフ信号の回数をカウントする。
プッシュ操作検知部７２は、プッシュスイッチ６０のスイッチ部６１からプッシュ操作されたことを示すプッシュ操作受付信号を受信する。
【００３７】
被制御部指示部７３は、プッシュ操作検知部７２が受信したプッシュ操作受付信号に基づくモードを決定する。ここで、本実施形態において、モードとは、空調機器５００の機能であり、例えば、送風の強さの調整、外気導入又は内気循環の切り替え、車内温度の調整等である。
また、被制御部指示部７３は、決定したモードに応じて、検知回数カウント部７１がカウントしたオンオフ信号の回数に基づく制御設定を決定する。ここで、本実施形態において、制御設定とは、例えば、モードが送風の強さの調整であれば送風の強さであり、モードが外気導入又は内気循環の切替であれば外気導入又は内気循環のいずれかであり、モードが車内温度の調整であれば車内温度である。
また、被制御部指示部７３は、決定したモード及び制御設定を示す制御信号を空調機器５００に送信する。
【００３８】
具体的には、被制御部指示部７３は、プッシュ操作検知部７２がプッシュ操作受付信号を受信する毎に、モードを順次切り替える。
そして、被制御部指示部７３は、例えば、決定したモードが車内温度の調整であれば、検知回数カウント部７１がカウントしたオンオフ信号の回数１回につき、車内温度を１度ずつ変える制御設定を決定する。また、被制御部指示部７３は、例えば、決定したモードが外気導入又は内気循環の切替であれば、検知回数カウント部７１がカウントしたオンオフ信号の回数が所定値以上の場合に、外気導入又は内気循環のいずれかに切り替える制御設定を決定する。
【００３９】
次に、本実施形態に係る操作装置１００の動作について説明する。
まず、利用者は、操作パネル１１の第２操作開口部１１３において、ベルト部材４０の上からプッシュスイッチ６０をプッシュ操作し、モードを選択する。
これにより、制御部７０において、プッシュ操作検知部７２はプッシュ操作受付信号を受信し、被制御部指示部７３はこのプッシュ操作受付信号に基づくモードを決定する。
【００４０】
次に、利用者は、操作パネル１１の操作開口部１１２において、ベルト部材４０をスライド操作する。
これにより、ベルト部材４０は、ベース部材３０の周壁３２の周方向に回転移動する。すると、ベルト部材４０の被検出部４１は、利用者のスライド操作によるベルト部材４０の移動距離間において配置されていた凸部の数だけ、検知部５０をオンオフさせる。また、制御部７０において、検知回数カウント部７１は、検知部５０からオンオフ信号を受信し、受信したオンオフ信号の回数をカウントし、被制御部指示部７３はこのカウントされたオンオフ信号の回数に基づく制御設定を決定する。
そして、被制御部指示部７３は、決定したモード及び制御設定を示す制御信号を空調機器５００に送信する。
【００４１】
以上説明したように、本実施形態によれば、ベルト部材４０は、無端形状に構成されており、操作開口部１１２に一部が露出した状態でベース部材３０に回転移動可能に配置されている。また、検知部５０は、ベース部材３０に設けられ、ベルト部材４０の移動を検知する。これにより、利用者は、操作開口部１１２において、ベルト部材４０に指を当てスライド操作する。検知部５０は、利用者のスライド操作によるベルト部材４０の移動を検知できる。よって、操作部材としてベルト部材４０を用いることにより、スライド操作が可能な操作装置１００を安価に提供できる。
【００４２】
また、ベルト部材４０には、検知部５０により移動を検知されるための被検出部４１が当該ベルト部材４０の移動方向に沿って複数並べて配置されている。これにより、検知部５０は、複数の被検出部４１を検知することで、利用者のスライド操作によるベルト部材４０の移動量を検知できる。よって、操作部材としてベルト部材４０を用いることにより、スライド操作の移動量を検知可能な操作装置１００を安価に提供できる。
【００４３】
また、制御部７０は、被検出部４１が検知部５０によって所定回数検知されたことに応じて、被制御部を制御する。これにより、制御部７０は、被検出部４１が検知された回数に応じて、被制御部を段階的に制御できる。例えば、被制御部が空調機器５００であれば、被検出部４１が検知された回数に応じて、車内温度の設定を段階的に制御できる。よって、操作部材としてベルト部材４０を用いることにより、スライド操作の移動量に応じて、被制御部を段階的に制御できる操作装置１００を安価に提供できる。
【００４４】
また、検知部５０は、ベルト部材４０の凸部によって揺動する作動部によってオンオフするスイッチである。これにより、検知部５０を、例えば、赤外線等を用いるセンサで構成した場合に比べ、安価に提供できる。よって、操作部材としてベルト部材４０を用いることにより、スライド操作の移動量に応じて、被制御部を段階的に制御できる操作装置１００をより安価に提供できる。
【００４５】
また、プッシュスイッチ６０は、第２操作開口部１１３に対応する位置に配置されており、プッシュ操作によってスイッチングする。ベルト部材４０は、プッシュスイッチ６０を覆うようにして第２操作開口部１１３に一部が露出している。これにより、利用者は、第２操作開口部１１３において、ベルト部材４０に指を当て押圧するプッシュ操作をする。プッシュスイッチ６０は、利用者のプッシュ操作によってスイッチングする。即ち、例えば、スマートホンにおけるタッチ操作を、ベルト部材４０で覆ったプッシュスイッチ６０のプッシュ操作により、擬似的に実現できる。よって、操作部材としてベルト部材４０を用いることにより、スライド操作及びプッシュ操作が可能な操作装置１００を安価に提供できる。
【００４６】
（変形形態）
（１）本実施形態において、周壁３２は、底板部３１１の外縁に沿って全周に設けているが、これに限らず、部分的に設けてもよい。この場合、周壁３２は、ベルト部材４０の移動方向を変える底板部３１１の４隅と、利用者のスライド操作によるベルト部材４０の沈み込みを防止する操作パネル１１の表示開口部１１１に面する部分、ベルト部材４０の被検出部４１を検知部５０にガイドするためのスリット３２４の両脇部分に設ければよい。このように、周壁３２を部分的に切り欠くことで、ベルト部材４０の摺動抵抗を低減できる。
【００４７】
（２）本実施形態において、ベルト部材４０は、ゴム素材で形成したが、これに限らず、例えば、樹脂製のプレートを複数枚配列し、互いに隣接するプレートを連結してベルト形状に形成したものを用いてもよい。
【００４８】
（３）本実施形態において、制御部７０は、例えば、計時するタイマ部を更に備え、検知回数カウント部７１は、タイマ部の計時により所定時間を経過した場合には、カウントしたオンオフ信号の回数をクリアしてもよい。
【００４９】
（４）本実施形態において、操作装置１００は、制御部７０において、検知回数カウント部７１、プッシュ操作検知部７２及び被制御部指示部７３の機能構成を備える。これに限らず、これらの機能構成は、操作装置１００に接続された別の制御装置に備えてもよい。この場合、操作装置１００は、検知部５０で検知したオンオフ信号及びスイッチ部６１かで検知したプッシュ操作受付信号を、上記別の制御装置に送信する。別の制御装置は、操作装置１００から受信したオンオフ信号及びプッシュ操作受付信号に基づき決定したモード及び制御設定を示す制御信号を被制御部としての空調機器に送信する。
【００５０】
（５）本実施形態において、操作装置１００は、空調機器５００の操作を行うものである例を挙げて説明した。これに限らず、例えば、オーディオ機器やカーナビゲーション機器等、他の機器の操作に本発明の操作装置を適用してもよい。
【００５１】
なお、各実施形態及び変形形態は、適宜組み合わせて用いることもできるが、詳細な説明は省略する。また、本発明は以上説明した各実施形態によって限定されることはない。
【符号の説明】
【００５２】
１０    本体
１１    操作パネル
１１１  表示開口部
１１２  操作開口部
１１３  第２操作開口部
１２    ケース
２０    表示部材
３０    ベース部材
３１    底部
３１１  底板部
３１２  脚部
３２    周壁
３２ａ  外周面
３２１  溝
３２２  凹み
３２３  スイッチ挿通部
３２４  スリット
４０    ベルト部材
４１    被検出部
５０    検知部
６０    プッシュスイッチ
６１    スイッチ部
６２    プッシュバー
７０    制御部
７１    検知回数カウント部
７２    プッシュ操作検知部
７３    被制御部指示部
１００  操作装置
５００  空調機器
【図１】
2015101135.tif 000003
【図２】
2015101135.tif 000004
【図３】
2015101135.tif 000005
【図４】
2015101135.tif 000006
【図５】
2015101135.tif 000007
【図６】
2015101135.tif 000008